(57)【要約】【課題】カバーパネルから、カバーパネルに貼り付けられた部材のレホがれを抑制した電子機器を提供する。【解決手段】電子機器は、外部に露出した外装部と、前記外装部に取り付けられたカバーパネルと、前記カバーパネルの裏面に位置し、前記カバーパネルを振動させる振動素子と、カバーパネルの裏面に貼り付けられ、特定の機能を奏する機能性部材と、カバーパネルの裏面側に設けられた電子部品と、前記振動素子と前記機能性部材との間に位置し、前記電子部品と前記カバーパネルとを貼りつける貼付部と、を有する。【選択図】図３
2015088836.tif 000002
【特許請求の範囲】
【請求項１】
外部に露出した外装部と、
前記外装部に取り付けられたカバーパネルと、
前記カバーパネルの裏面に位置し、前記カバーパネルを振動させる振動素子と、
カバーパネルの裏面に貼り付けられ、特定の機能を奏する機能性部材と、
カバーパネルの裏面側に設けられた電子部品と、
前記振動素子と前記機能性部材との間に位置し、前記電子部品と前記カバーパネルとを貼りつける貼付部と、
を有する電子機器。
【請求項２】
前記貼付部は、前記電子部品にて生じた熱により軟化する接着剤により構成される請求項１記載の電子機器。
【請求項３】
前記カバーパネルはサファイアパネルである請求項１または２記載の電子機器。
【請求項４】
前記電子部品にて生じた熱は前記貼付部を通って前記サファイアパネルに伝達される請求項３記載の電子機器。
【請求項５】
前記外装部の内部には、前記カバーパネルと対向する貫通孔をさらに有し、
前記貫通孔と前記カバーパネルとの間には緩衝部が配置する請求項１乃至４のいずれか記載の電子機器。
【請求項６】
表示部をさらに有し、
前記電子部品は、前記表示部に配置し、前記表示部を駆動させるドライバである請求項１乃至５のいずれか記載の電子機器。
【請求項７】
さらに基板を有し、
前記基板と前記表示部とを接続するフレキシブル基板が、前記貫通孔を通る請求項６記載の電子機器。
【発明の詳細な説明】
【技術分野】
【０００１】
本発明は、外部からの力に対して強い電子機器に関する。
【背景技術】
【０００２】
従来から電子機器に関して様々な技術が提案されている。例えば特許文献１には、携帯電話機や固定電話機などの電話機のカバーパネルに対して振動素子を取り付け、当該圧電振動素子を振動させることによって、当該電話機のユーザに対して音を伝達する技術が記載されている。
【先行技術文献】
【特許文献】
【０００３】
【特許文献１】特開２０１３−１３１９８７号公報
【発明の概要】
【発明が解決しようとする課題】
【０００４】
カバーパネルに対して振動素子を取り付けた電子機器の場合、カバーパネルに対しての振動を阻害させないように、振動素子の周辺（特に振動素子が設けられた領域から、タッチパネルまたは液晶パネルが設けられた領域）にはできるだけ他の部材を配置していないことが多い。そのため、カバーパネルのうち振動素子が取り付けされた近辺に対して外部から力がはたらいた場合、機能性部材とカバーパネルとの取り付けが、剥がれる場合があった。
【０００５】
本発明はかかる実情に鑑みて創案されたもので、その目的は、カバーパネルから、カバーパネルに貼り付けられた部材の剥がれを抑制した電子機器を提供することにある。
【課題を解決するための手段】
【０００６】
本発明の一実施形態にかかる電子機器は、外部に露出した外装部と、前記外装部に取り付けられたカバーパネルと、前記カバーパネルの裏面に位置し、前記カバーパネルを振動させる振動素子と、カバーパネルの裏面に貼り付けられ、特定の機能を奏する機能性部材と、カバーパネルの裏面側に設けられた電子部品と、前記振動素子と前記機能性部材との間に位置し、前記電子部品と前記カバーパネルとを貼りつける貼付部と、を有する。
【０００７】
前記貼付部は、前記電子部品にて生じた熱により軟化する接着剤であってもよい。
【０００８】
前記カバーパネルはサファイアパネルであってもよい。
【０００９】
前記電子部品にて生じた熱は前記貼付部を通って前記サファイアパネルに伝達されてもよい。
【００１０】
前記電子機器は、前記外装部の内部には、前記カバーパネルと対向する貫通孔をさらに有し、前記貫通孔と前記カバーパネルとの間には緩衝部が配置されてもよい。
【００１１】
前記電子機器は、表示部をさらに有し、前記電子部品は、前記表示部に配置し、前記表示部を駆動させるドライバであってもよい。
【００１２】
前記電子機器は、さらに基板を有し、前記基板と前記表示部とを接続するフレキシブル基板が、前記貫通孔を通ってもよい。
【発明の効果】
【００１３】
前述のように、貼付部を特定の位置に設けることにより、振動部が取り付けられたカバーパネル近辺に外力がはたらいたとしても、外力を、機能性パネルとカバーパネルの取り付け位置だけでなく、前記貼付部にも分散することができるため、機能性パネルとカバーパネルとの取り付けに発生する剥がれを制御することができる。
【図面の簡単な説明】
【００１４】
【図１】電子機器の外観を示す前面図である。
【図２】電子機器の外観を示す裏面図である。
【図３】電子機器の断面構造を示す図である。
【図４】電子機器の断面構造を示す図である。
【図５】カバーパネルをその内側主面側から見た際の平面図である。
【図６】表示パネルを接着する前の、カバーパネルをその内側主面側から見た際の平面図である。
【図７】電子機器の電気的構成を示す図である。
【図８】圧電振動素子の構造を示す上面図である。
【図９】圧電振動素子の構造を示す側面図である。
【図１０】圧電振動素子が撓み振動する様子を示す図である。
【図１１】圧電振動素子が撓み振動する様子を示す図である。
【図１２】気導音及び伝導音を説明するための図である。
【図１３】電子機器の断面構造を示す図である。
【図１４】カバーパネルをその内側主面側から見た際の平面図である。
【発明を実施するための形態】
【００１５】
＜電子機器の外観＞
図１および２は、それぞれ、前面図及び裏面図である。図３は、図１に示される電子機器１の矢視Ａ−Ａにおける断面構造の概略図である。図４は、図１に示される電子機器１の矢視Ｂ−Ｂにおける断面構造の概略図である。図５は、電子機器１が備えるカバーパネル２の裏面図である。図５に示されるカバーパネル２には、電子機器１が備える圧電振動素子１９０及び表示パネル１２０が取り付けられている。本実施の形態に係る電子機器１は、例えば、スマートフォン等の携帯電話機である。
【００１６】
図１〜６に示されるように、電子機器１は、表示パネル１２０（図４）の表示面を覆う透明のカバーパネル２と、カバーパネル２を支持する前面側ケース３と、前面側ケース３に取り付けられる背面側ケース４とを備えている。背面側ケース４は、電池２００を収納する。本実施の形態では、カバーパネル２、前面側ケース３及び背面側ケース４が、電子機器１の外装ケース５（外装部）を構成している。電子機器１の形状は、平面視で略長方形の板状となっている。
【００１７】
カバーパネル２は、電子機器１の前面部分における、周端部（周縁部）以外の部分を構成している。前面側ケース３及び背面側ケース４は、電子機器１の前面部分の周端部、側面部分及び裏面部分を構成している。前面側ケース３及び背面側ケース４のそれぞれは、例えば、樹脂で形成されている。前面側ケース３及び背面側ケース４を形成する樹脂としては、例えば、ポリカーボネート樹脂、ＡＢＳ樹脂あるいはナイロン系樹脂が採用される。前面側ケース３と背面側ケース４とで囲まれた空間には、後述するＣＰＵ１０１及びＤＳＰ１０２などの各種部品が搭載されたプリント基板１０４が設けられている。
【００１８】
カバーパネル２は、板状であって、平面視において略長方形を成している。カバーパネル２は、表示パネル１２０の表示面と対向する内側の第１主面２０と、第１主面２０とは
反対側に位置する外側の第２主面２１とを有している。第２主面２１は、電子機器１の前面の一部を構成している。以後、第１主面２０を「内側主面２０」と呼び、第２主面２１を「外側主面２１」と呼ぶことがある。
【００１９】
カバーパネル２は透明であり、例えば、ガラス、アクリル樹脂、サファイア結晶などで形成されている。ここで、透明とは、可視光に対する透過率が７０％〜１００％であることをいう。また、前述のサファイア結晶とは、酸化アルミニウム（ＡｌＯ３）結晶からなり、工業的に製造されたものをいう。
【００２０】
カバーパネル２には、表示パネル１２０の表示が透過する透明の表示部分（表示窓とも呼ばれる）２ａが設けられている。表示部分２ａは例えば平面視で長方形を成している。表示パネル１２０から出力される可視光は表示部分２ａを通って電子機器１の外部に取り出される。使用者は、電子機器１の外部から、表示部分２ａを通じて、表示パネル１２０に表示される情報が視認可能となっている。
【００２１】
カバーパネル２における、表示部分２ａを取り囲む周端部（周縁部）２ｂの大部分は、例えばフィルム等が貼られることによって黒色となっている。これにより、周端部２ｂの大部分は、表示パネル１２０の表示が透過しない非表示部分となっている。
【００２２】
図３に示されるように、カバーパネル２の内側主面２０には、機能性パネルとしてタッチパネル１３０が貼り付けられている。ここで、機能性部材とは、タッチパネル、液晶パネル、有機ＥＬディスプレイパネルなどのように、表示機能、接触検知機能などの特定の機能を含んでいる部材をいう。
【００２３】
表示部である表示パネル１２０は、タッチパネル１３０における、内側主面２０側の主面とは反対側の主面に貼り付けられている。つまり、表示パネル１２０は、タッチパネル１３０を介してカバーパネル２の内側主面２０に取り付けられている。そして、表示パネル１２０はカバーパネル２と前面側ケース３とで挟まれている。なお、図３において、表示パネル１２０はカバーパネル２とともに前面側ケース３に挟まれているが、本発明においては必須ではない。例えば、表示パネル１２０は、カバーパネル２とともに、板金とに挟まれていてもよいし、その他の部材でもよい。カバーパネル２では、表示パネル１２０と対向している部分が表示部分２ａとなる。使用者は、カバーパネル２の表示部分２ａを指等で操作することによって、電子機器１に対して各種指示を与えることができる。
【００２４】
表示パネル１２０は、電子部品１２０ａを有している。電子部品１２０ａとしては、例えば、駆動ドライバなどのＩＣドライバが挙げられる。例えば、表示パネルが液晶パネルの場合、電子部品１２０ａは駆動ドライバに該当する。電子部品１２０ａは、カバーパネル２の裏面側に位置し、タッチパネル１３０と、圧電振動素子１９０と、の間に設けられている。そして、本発明において、電子部品１２０ａとカバーパネル２とが、貼付部２６０により貼り付けられている。
【００２５】
もし、貼付部２６０が設けられていない電子機器において、外力が圧電振動素子１９０付近のカバーパネル２にはたらいた場合、この外力は特に、タッチパネル１３０とカバーパネル２との貼付部２７０（後述の貼付部２６０を第一の貼付部としたとき、貼付部２７０は第二の貼付部とする）のうち、電子部品１２０ａ側の端部にはたらくことになる。これにより、前記端部にて、カバーパネル２とタッチパネル１３０との間で剥がれが生じる場合がある。
【００２６】
そこで、圧電振動素子１９０とタッチパネル１３０との間に位置する電子部品１２０ａと、カバーパネル２との間に、貼付部２６０を設けることにより、外力が前記端部と貼付
部２６０とに分散し、前記端部に発生する剥がれ等が抑制されることになる。また、貼付部２６０は、圧電振動素子１９０から十分に距離を持って配置されているため、カバーパネル２の振動への影響は小さく抑えられる。
【００２７】
貼付部２６０としては、接着剤により接着された接着部、両面テープにより貼り付けられた貼付部が挙げられる。
【００２８】
また、もし、貼付部２６０が設けられていない電子機器において、電子機器が落下した場合、電子部品１２０ａがカバーパネル２の裏面と衝突することで、電子部品１２０ａの割れが生じる場合があった。
【００２９】
そこで、上述のように、圧電振動素子１９０とタッチパネル１３０との間に位置する電子部品１２０ａとカバーパネル２との間に貼付部２６０を設けることにより、電子部品１２０ａが固定されるため、電子機器の落下時のカバーパネル２と電子部品１２０ａとの衝突を抑制することができる。特に、カバーパネル２として、サファイアパネルなどの硬質パネルを用いた場合、電子部品１２０ａの割れが発生しやすいため、サファイアパネルと電子部品１２０ａとの間に貼付部１２０ａを設けることは特に有用である。
【００３０】
表示パネル１２０の使用時には電子部品１２０ａが起動しており、電子部品１２０ａから熱が発生している。特に、貼付部２６０として熱可塑性の接着剤により貼り付けられている場合、貼付部２６０が電子部品１２０ａからの熱により軟化しているため、カバーパネル２側から電子機器が落下したとしても、軟化した貼付部２６０により衝撃の吸収が可能である。
【００３１】
上述のように、電子部品１２０ａとカバーパネル２との間に貼付部２６０が設けられていることにより、電子部品１２０ａから発生する熱をカバーパネル２に伝達することもできる。特に、カバーパネル２として、ガラスパネルよりも熱伝導性の高いサファイアパネルを用いた場合、電子部品１２０ａで発生した熱は、サファイアパネルに伝達されやすいため、電子部品１２０ａを冷却することができる。
【００３２】
図６には、貼付部２６０として接着剤を用いた場合における、表示パネル１２０のカバーパネル２への貼り付け前のカバーパネル２を示す。
【００３３】
図６においては、まず、表示パネル２の本体の縁部を貼りつけるための接着剤５７０とともに、接着剤５６０をカバーパネル２に塗る。そして、塗った後、一度紫外線照射を行って硬化させる（たとえば、紫外線条件１５００ｍ２／ｍＪ）。そのあとに、表示パネル２の本体の中心部を貼り付けるための接着剤５９０の中央に入れたのち、表示パネル２を貼りつけて紫外線照射を行い、図５のように、表示パネル２を取り付けたカバーパネル２を作成する。
【００３４】
また、前述の図３の他の具体例としては、例えば、図１３のような構造も含まれる。図１３では、貫通孔１４０とカバーパネル２との間に、緩衝部２８０が設けられており、この構造は、カバーパネル２として特に有用である。
【００３５】
カバーパネル２としてサファイアパネルを設けた場合、ガラスパネルとは異なりサファイアパネルは撓みにくく、一定以上撓むと割れる場合がある。そのため、電子機器１の外部からサファイアパネルに対して力が加わった場合、サファイアパネルが撓まないようにするため、サファイアパネルの裏面側のクリアランス（別の部材との距離）を小さくする必要がある。
【００３６】
通常、カバーパネル２と対向するケース側には、例えば、表示パネル１２０から基板１０４まで電気的に接続させるフレキシブル基板１２０ｂを通すための貫通孔１４０が設けられている。しかし、貫通孔１４０の存在により、前述のサファイアパネルの裏面側のクリアランスが大きくなっているため、カバーパネル２の外面のうち、貫通孔１４０の上方から外力が加わった場合、カバーパネル２としてのサファイアパネルが割れる場合があった。
【００３７】
そこで、上述のように、貫通孔１４０とカバーパネル２との間に、緩衝部２８０を設けることにより、外力によるサファイアパネルに対する衝撃を緩和するとともに、サファイアパネル裏面側であって貫通孔１４０上方のクリアランスを減少させ、サファイアパネルの割れを抑制することができる。緩衝部２８０は、その下面を貫通孔１４０の縁部で支えられているが、固定の方法はこれに限定されない。
【００３８】
緩衝部２８０に含まれるクッション材としては、例えば発泡体が採用される。この発泡体としては、例えば、ポリオレフィン系発泡体、ポリエステル系発泡体あるいはウレタン発泡体が使用される。
【００３９】
図１３に示す電子機器の場合、緩衝部２８０は前面側ケース３とカバーパネル２との間に設けられているが、本発明ではこれに限定されず、貫通孔１４０とカバーパネル２とのクリアランスを詰めることができればよい。
【００４０】
図１に示されるように、カバーパネル２の下側端部にはマイク穴５０があけられていてもよい。また、図２に示されるように、電子機器１の裏面１０には、具体的には背面側ケース４のカバーパネル４１の外側の面には、スピーカ穴８０があけられていてもよい。
【００４１】
外装ケース５内には、後述する、近接センサ１４０、前面側撮像部１６０、裏面側撮像部１７０及び圧電振動素子１９０が設けられている。図３に示されるように、圧電振動素子１９０は、カバーパネル２の内側主面２０に対して貼付部２５０（前述の貼付部２６０を第一の貼付部としたとき、貼付部２５０は第三の貼付部とする）によって貼り付けられている。カバーパネル２の上側端部には、外装ケース５内の近接センサ１４０が電子機器１の外部から視認できるための近接センサ用透明部６０が設けられている。近接センサ用透明部６０には、その内側から近接センサ１４０が取り付けられる。また、カバーパネル２の上側端部には、外装ケース５内の前面側撮像部１６０が有する撮像レンズが電子機器１の外部から視認できるための前面レンズ用透明部７０が設けられている。そして、電子機器１の裏面１０には、外装ケース５内の裏面側撮像部１７０が有する撮像レンズが電子機器１の外部から視認できるための裏面レンズ用透明部９０が設けられている。
【００４２】
図３に示されるように、カバーパネル２は前面側ケース３に対して両面テープあるいは接着剤によって貼り付けられる。特に、振動特性および防水特性の向上の観点から、カバーパネル２の内側主面２０の周端部２１１のうち、下端および側端は接着剤、上端は両面テープが採用されてもよい。
【００４３】
＜電子機器の電気的構成＞
図７は電子機器１の電気的構成を主に示すブロック図である。図７に示されるように、電子機器１には、制御部１００、無線通信部１１０、表示パネル１２０、タッチパネル１３０、近接センサ１４０が設けられている。さらに電子機器１には、マイク１５０、前面側撮像部１６０、裏面側撮像部１７０、外部スピーカ１８０、圧電振動素子１９０及び電池２００が設けられている。電子機器１に設けられた、カバーパネル２以外のこれらの構成要素は外装ケース５内に収められている。
【００４４】
制御部１００は、ＣＰＵ（Central Processing Unit）１０１、ＤＳＰ（Digital Signal Processor）１０２及び記憶部１０３等を備えている。制御部１００は、電子機器１の
他の構成要素を制御することによって、電子機器１の動作を統括的に管理する。
【００４５】
記憶部１０３は、ＲＯＭ（Read Only Memory）及びＲＡＭ（Random Access Memory）等の、制御部１００（ＣＰＵ１０１及びＤＳＰ１０２）が読み取り可能な非一時的な記録媒体で構成されている。記憶部１０３には、電子機器１を制御するための、具体的には電子機器１が備える無線通信部１１０、表示パネル１２０等の各構成要素を制御するための制御プログラムであるメインプログラム及び複数のアプリケーションプログラム等が記憶されている。制御部１００の各種機能は、ＣＰＵ１０１及びＤＳＰ１０２が記憶部１０３内の各種プログラムを実行することによって実現される。
【００４６】
なお記憶部１０３は、ＲＯＭ及びＲＡＭ以外の、コンピュータが読み取り可能な非一時的な記録媒体を備えていても良い。記憶部１０３は、例えば、小型のハードディスクドライブ及びＳＳＤ（Solid State Drive）等を備えていても良い。
【００４７】
無線通信部１１０は、アンテナ１１１を有している。無線通信部１１０は、電子機器１とは別の携帯電話機からの信号、あるいはインターネットに接続されたウェブサーバ等の通信装置からの信号を基地局を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる、音声や音楽などを示す音信号（音情報）などを取得する。
【００４８】
また無線通信部１１０は、制御部１００で生成された、音信号等を含む送信信号に対して、アップコンバート及び増幅処理を行って、処理後の送信信号をアンテナ１１１から無線送信する。アンテナ１１１からの送信信号は、基地局を通じて、電子機器１とは別の携帯電話機あるいはインターネットに接続された通信装置で受信される。
【００４９】
表示部である表示パネル１２０は、例えば、液晶表示パネルあるいは有機ＥＬパネルである。表示パネル１２０は、制御部１００によって制御されることによって、文字、記号、図形などの各種情報を表示する。表示パネル１２０に表示される情報は、カバーパネル２の表示部分２ａを通じて、電子機器１の使用者に視認可能となる。
【００５０】
タッチパネル１３０は、例えば、投影型静電量容量方式のタッチパネルである。タッチパネル１３０は、カバーパネル２の表示部分２ａに対する物体の接触を検出する。タッチパネル１３０は、カバーパネル２の内側主面２０に貼り付けられている。タッチパネル１３０は、互いに対向配置されたシート状の二つの電極センサを備えている。二つの電極センサは透明粘着性シートによって貼り合わされている。
【００５１】
一方の電極センサには、それぞれがＸ軸方向（例えば電子機器１の左右方向）に沿って延在し、かつ互いに平行に配置された複数の細長いＸ電極が形成されている。他方の電極センサには、それぞれがＹ軸方向（例えば電子機器１の上下方向）に沿って延在し、かつ互いに平行に配置された複数の細長いＹ電極が形成されている。カバーパネル２の表示部分２ａに対して使用者の指等が接触すると、その接触箇所の下にあるＸ電極及びＹ電極の間の静電容量が変化する。これにより、タッチパネル１３０においてカバーパネル２の表示部分２ａに対する操作（接触）が検出される。タッチパネル１３０は、Ｘ電極及びＹ電極の間の静電容量変化を示す電気的信号を生成して制御部１００に出力する。制御部１００は当該電気的信号に基づいてカバーパネル２の表示部分２ａに対して行われた操作の内容を特定し、それに応じた動作を行う。
【００５２】
近接センサ１４０は、例えば赤外線方式の近接センサである。近接センサ１４０は、当該近接センサ１４０に対して物体が所定距離以内に近接すると検出信号を出力する。この検出信号は制御部１００に入力される。制御部１００は、近接センサ１４０から検出信号を受け取ると、例えば、タッチパネル１３０での操作検出機能を停止する。なお、本実施の具体例としては、ユーザ操作のため、カバーパネル２の表示部分２ａに対するユーザの指などの物体の接触の検出をタッチパネルにさせているが、接触に限定されない。例えば、静電容量の検出精度を向上させたタッチパネルを用いて、ユーザの指などの物体接近を検出させてもよい。また、本実施の具体例では、ユーザ操作の検出のためにタッチパネルがユーザの指などの物体の接触の検出をしているが、ユーザ操作のための検出はタッチパネルに限定されない。例えば近接センサが、ユーザ操作の検出のために、ユーザの指などの物体の接近を検出してもよい。
【００５３】
前面側撮像部１６０は、撮像レンズ及び撮像素子などで構成されている。前面側撮像部１６０は、制御部１００による制御に基づいて、静止画像及び動画像を撮像する。前面側撮像部１６０の撮像レンズは、電子機器１の前面に設けられた前面レンズ用透明部７０から視認可能となっている。したがって、前面側撮像部１６０は、電子機器１の前面側（カバーパネル２側）に存在する物体を撮像することが可能である。
【００５４】
裏面側撮像部１７０は、撮像レンズ及び撮像素子などで構成されている。裏面側撮像部１７０は、制御部１００による制御に基づいて、静止画像及び動画像を撮像する。裏面側撮像部１７０の撮像レンズは、電子機器１の裏面１０に設けられた裏面レンズ用透明部９０から視認可能となっている。したがって、裏面側撮像部１７０は、電子機器１の裏面１０側に存在する物体を撮像することが可能である。
【００５５】
マイク１５０は、電子機器１の外部から入力される音を電気的な音信号に変換して制御部１００に出力する。電子機器１の外部からの音は、カバーパネル２の前面に設けられたマイク穴５０から電子機器１の内部に取り込まれてマイク１５０に入力される。なお、マイク穴５０は、電子機器１の側面に設けても良いし、裏面１０に設けても良い。特に、カバーパネル２としてサファイアパネルが用いられた場合、加工が困難であることから、マイク穴５０は、電子機器１の側面または裏面１０に配置されることが好ましい。
【００５６】
外部スピーカ１８０は、例えばダイナミックスピーカである。外部スピーカ１８０は、制御部１００からの電気的な音信号を音に変換して出力する。外部スピーカ１８０から出力される音は、電子機器１の裏面１０に設けられたスピーカ穴８０から外部に出力される。スピーカ穴８０から出力される音については、電子機器１から離れた場所でも聞こえるような音量となっている。なお、外部スピーカとしてはほかにフィルムスピーカであってもよい。
【００５７】
圧電振動素子１９０は、上述のように、電子機器１の前面に設けられたカバーパネル２の内側主面２０に対して貼付部材２５０によって貼り付けられている。貼付部材２５０としては、両面テープあるいは接着剤が採用される。圧電振動素子１９０は、制御部１００から与えられる駆動電圧によって振動させられる。制御部１００は、音信号に基づいて駆動電圧を生成し、当該駆動電圧を圧電振動素子１９０に与える。圧電振動素子１９０が、制御部１００によって音信号に基づいて振動させられることによって、カバーパネル２が音信号に基づいて振動する。その結果、カバーパネル２から使用者に受話音が伝達される。この受話音の音量は、使用者がカバーパネル２に耳を近づけた際に適切に聞こえる程度の音量となっている。カバーパネル２から使用者に伝達される受話音については後で詳細に説明する。
【００５８】
電池２００は、電子機器１の電源を出力する。電池２００から出力された電源は、電子
機器１が備える制御部１００及び無線通信部１１０などに含まれる各電子部品に対して供給される。なお、図３に示すように電池２００としては、例えば、背面側ケース４内の容積の大半を示す大型のものを用いているが、電池２００としてはこれに限定されない。
【００５９】
＜圧電振動素子の詳細＞
図８，９は、それぞれ、圧電振動素子１９０の構造を示す上面図及び側面図である。図８，９に示されるように、圧電振動素子１９０は一方向に長い形状を成している。具体的には、圧電振動素子１９０は、平面視で長方形の細長い板状を成している。圧電振動素子１９０は、例えばバイモルフ構造を有している。圧電振動素子１９０は、シム材１９０ｃを介して互いに貼り合わされた第１圧電セラミック板１９０ａ及び第２圧電セラミック板１９０ｂを備えている。
【００６０】
圧電振動素子１９０では、第１圧電セラミック板１９０ａに対して正の電圧を印加し、第２圧電セラミック板１９０ｂに対して負の電圧を印加すると、第１圧電セラミック板１９０ａは長手方向に沿って伸び、第２圧電セラミック板１９０ｂは長手方向に沿って縮むようになる。これにより、図１０に示されるように、圧電振動素子１９０は、第１圧電セラミック板１９０ａを外側にして山状に撓むようになる。
【００６１】
一方で、圧電振動素子１９０では、第１圧電セラミック板１９０ａに対して負の電圧を印加し、第２圧電セラミック板１９０ｂに対して正の電圧を印加すると、第１圧電セラミック板１９０ａは長手方向に沿って縮み、第２圧電セラミック板１９０ｂは長手方向に沿って伸びるようになる。これにより、図１１に示されるように、圧電振動素子１９０は、第２圧電セラミック板１９０ｂを外側にして山状に撓むようになる。
【００６２】
圧電振動素子１９０は、図１０の状態と図１１の状態とを交互にとることによって、長手方向に沿って撓み振動を行う。制御部１００は、第１圧電セラミック板１９０ａと第２圧電セラミック板１９０ｂとの間に、正の電圧と負の電圧とが交互に現れる交流電圧を印加することによって、圧電振動素子１９０を長手方向に沿って撓み振動させる。
【００６３】
なお、図８〜１１に示される圧電振動素子１９０では、シム材１９０ｃを間に挟んで貼り合わされた第１圧電セラミック板１９０ａ及び第２圧電セラミック板１９０ｂから成る構造が１つだけ設けられていたが、複数の当該構造を積層させても良い。なお、圧電振動素子１９０としては、圧電セラミックス材料の他に、ポリフッ化ビニリデン、ポリ乳酸などの有機圧電材料などから構成されてもよい。具体的には、例えば、ポリ乳酸フィルムを第１圧電板および第２圧電板として用い、それらが積層することで構成されている。なお、電極も例えばＩＴＯ（Ｉｎｄｉｕｍ−Ｔｉｎ−Ｏｘｉｄｅ、すなわちインジウム錫酸化物）など透明電極が用いられることも可能である。
【００６４】
このような構造を有する圧電振動素子１９０は、図５に示されるように、カバーパネル２の内側主面２０の周端部に配置される。具体的には、圧電振動素子１９０は、カバーパネル２の内側主面２０の上側端部における、短手方向の中央部に配置される。また、圧電振動素子１９０は、その長手方向が、カバーパネル２の短手方向に沿うように配置される。これにより、圧電振動素子１９０は、カバーパネル２の短手方向に沿って撓み振動を行う。そして、圧電振動素子１９０の長手方向の中心は、カバーパネル２の内側主面２０の上側端部における短手方向ＤＲ２の中心と一致している。
【００６５】
ここで、撓み振動を行う圧電振動素子１９０では、その長手方向の中心が最も変位量が大きくなる。したがって、圧電振動素子１９０の長手方向の中心が、カバーパネル２の内側主面２０の上側端部における短手方向の中心と一致することによって、圧電振動素子１９０における、撓み振動での変位量が最大となる箇所が、カバーパネル２の内側主面２０
の上側端部における短手方向の中心に一致するようになる。
【００６６】
また、カバーパネル２の上側端部における、前面側ケース３及び表示パネル１２０が取り付けられない部分領域２２０は、カバーパネル２の短手方向に沿って長くなっている。したがって、部分領域２２０は、その形状に起因して、長手方向よりも短手方向に沿って撓み易くなっている。圧電振動素子１９０は、その長手方向（撓み振動を行う方向）が、部分領域２２０の長手方向に沿うように当該部分領域２２０に配置されることから、当該部分領域２２０は振動し易くなる。よって、カバーパネル２から使用者に受話音を伝達し易くなる。
【００６７】
＜受話音の発生について＞
本実施の形態に係る電子機器１では、圧電振動素子１９０がカバーパネル２を振動させることによって、当該カバーパネル２から気導音及び伝導音が使用者に伝達される。言い換えれば、圧電振動素子１９０自身の振動がカバーパネル２に伝わることにより、当該カバーパネル２から気導音及び伝導音が使用者に伝達される。
【００６８】
ここで、気導音とは、外耳道孔（いわゆる「耳の穴」）に入った音波（空気振動）が鼓膜を振動させることによって、人の脳で認識される音である。一方で、伝導音とは、耳介が振動させられ、その耳介の振動が鼓膜に伝わって当該鼓膜が振動することによって、人の脳で認識される音である。以下に、気導音及び伝導音について詳細に説明する。
【００６９】
図１２は気導音及び伝導音を説明するための図である。図１２には、電子機器１の使用者の耳の構造が示されている。図１２においては、波線４００は気道音が脳で認識される際の音信号（音情報）の伝導経路を示している。実線４１０は伝導音が脳で認識される際の音信号の伝導経路を示している。
【００７０】
カバーパネル２に取り付けられた圧電振動素子１９０が、受話音を示す電気的な音信号に基づいて振動させられると、カバーパネル２が振動して、当該カバーパネル２から音波が出力される。使用者が、電子機器１を手に持って、当該電子機器１のカバーパネル２を当該使用者の耳介３００に近づけると、あるいは当該電子機器１のカバーパネル２を当該使用者の耳介３００に当てると（接触させると）、当該カバーパネル２から出力される音波が外耳道孔３１０に入る。カバーパネル２からの音波は、外耳道孔３１０内を進み、鼓膜３２０を振動させる。鼓膜３２０の振動は耳小骨３３０に伝わり、耳小骨３３０が振動する。そして、耳小骨３３０の振動は蝸牛３４０に伝わって、蝸牛３４０において電気信号に変換される。この電気信号は、聴神経３５０を通って脳に伝達され、脳において受話音が認識される。このようにして、カバーパネル２から使用者に対して気導音が伝達される。
【００７１】
また、使用者が、電子機器１を手に持って、当該電子機器１のカバーパネル２を当該使用者の耳介３００に当てると、耳介３００が、圧電振動素子１９０によって振動させられているカバーパネル２によって振動させられる。耳介３００の振動は鼓膜３２０に伝わり、鼓膜３２０が振動する。鼓膜３２０の振動は耳小骨３３０に伝わり、耳小骨３３０が振動する。そして、耳小骨３３０の振動は蝸牛３４０に伝わり、蝸牛３４０において電気信号に変換される。この電気信号は、聴神経３５０を通って脳に伝達され、脳において受話音が認識される。このようにして、カバーパネル２から使用者に対して伝導音が伝達される。図１１では、耳介３００内部の耳介軟骨３００ａも示されている。
【００７２】
なお、ここでの伝導音は、骨導音（「骨伝導音」とも呼ばれる）とは異なるものである。骨導音は、頭蓋骨を振動させて、頭蓋骨の振動が直接蝸牛などの内耳を刺激することによって、人の脳で認識される音である。図１２においては、例えば下顎骨５００を振動
させた場合において、骨伝導音が脳で認識される際の音信号の伝達経路を複数の円弧４２０で示している。
【００７３】
このように、本実施の形態では、圧電振動素子１９０が前面のカバーパネル２を適切に振動させることによって、カバーパネル２から電子機器１の使用者に対して気導音及び伝導音を伝えることができる。使用者は、カバーパネル２に耳（耳介）を近づけることによって当該カバーパネル２からの気導音を聞くことができる。また使用者は、カバーパネル２に耳（耳介）を接触させることによって当該カバーパネル２からの気導音及び伝導音を聞くことができる。本実施の形態に係る圧電振動素子１９０では、使用者に対して適切に気導音及び伝導音を伝達できるように、その構造が工夫されている。使用者に対して気導音及び伝導音を伝えることができるように電子機器１を構成することによって様々メリットが発生する。
【００７４】
例えば、使用者は、カバーパネル２を耳に当てれば音が聞こえることから、電子機器１において耳を当てる位置をそれほど気にすることなく通話を行うことができる。
【００７５】
また、使用者は、周囲の騒音が大きい場合には、耳をカバーパネル２に強く押し当てることによって、伝導音の音量を大きくしつつ、周囲の騒音を聞こえにくくすることができる。よって、使用者は、周囲の騒音が大きい場合であっても、適切に通話を行うことができる。
【００７６】
また、使用者は、耳栓やイヤホンを耳に取り付けた状態であっても、カバーパネル２を耳（より詳細には耳介）に当てることによって、電子機器１からの受話音を認識することができる。また、使用者は、耳にヘッドホンを取り付けた状態であっても、当該ヘッドホンにカバーパネル２を当てることによって、電子機器１からの受話音を認識することができる。
【００７７】
なお、カバーパネル２のうち、圧電振動素子１９０が取り付けられている部分が比較的振動し易くなる。したがって、使用者は、カバーパネル２のうち圧電振動素子１９０が取り付けられている上側端部（特に上側端部の短手方向ＤＲ２の中央部）に対して、耳を近づけたり、耳を押し当てたりすると、カバーパネル２からの音が聞こえ易くなる。
【００７８】
また、上記の例では、圧電振動素子１９０は１つだけ設けられているが、図１４に示されるように、カバーパネル２の内側主面２０上に複数の圧電振動素子１９０を設けても良い。図１４の例では、複数の圧電振動素子１９０がカバーパネル２の短手方向ＤＲ２に沿って並べられている。また、各圧電振動素子１９０は、その長手方向がカバーパネル２の短手方向ＤＲ２に沿うように並べられている。図１４の例では、２つの圧電振動素子１９０が設けられているが、３つ以上の圧電振動素子１９０を設けても良い。
【００７９】
また、上述の説明では振動素子として圧電振動素子を主として説明したが、振動素子としては、圧電振動素子に限定されず、例えば、偏心モーター（ERM：Eccentric Rotating Mass）、リニア・バイブレータなどでもよい。
【００８０】
また、上記の例では、本願発明を携帯電話機に適用する場合を例にあげて説明したが、本願発明は、スマートフォン等の携帯電話機以外の電子機器、例えばタブレット端末等にも適用することができる。
【００８１】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数
の変形例が、この発明の範囲から外れることなく想定され得るものと解される。
【符号の説明】
【００８２】
１  電子機器  
２  カバーパネル
２０  第１主面
２１  第２主面
１００  制御部
１２０  表示パネル
１２０ａ  表示面
１９０  圧電振動素子
２６０  貼付部
【図１】
2015088836.tif 000003
【図２】
2015088836.tif 000004
【図３】
2015088836.tif 000005
【図４】
2015088836.tif 000006
【図５】
2015088836.tif 000007
【図６】
2015088836.tif 000008
【図７】
2015088836.tif 000009
【図８】
2015088836.tif 000010
【図９】
2015088836.tif 000011
【図１０】
2015088836.tif 000012
【図１１】
2015088836.tif 000013
【図１２】
2015088836.tif 000014
【図１３】
2015088836.tif 000015
【図１４】
2015088836.tif 000016